(57)【要約】【課題】  制御系への電力供給状態を絶えず確保する。【解決手段】  カメラに装着されるカメラアクセサリ（１０）であって、電力供給を受けてカメラアクセサリにおける作動部を駆動する駆動系（１０２、１０３）と、電力供給を受けてカメラアクセサリにおける制御を行う制御系（１０１）と、カメラから第１の電力の供給を受けて、駆動系および制御系に動作電力を供給する電力供給手段（１０４）とを有し、カメラからの第１の電力の供給が停止したときに、制御系にのみ第２の電力を供給するアクセサリ電源（１０６）とを有する。【選択図】  図１
2005173266.tif 000002
【特許請求の範囲】
【請求項１】
カメラに装着されるカメラアクセサリであって、
電力供給を受けて該カメラアクセサリにおける作動部を駆動する駆動系と、
電力供給を受けて該カメラアクセサリにおける制御を行う制御系と、
前記カメラから第１の電力の供給を受けて、前記駆動系および制御系に動作電力を供給する電力供給手段とを有し、
前記カメラからの前記第１の電力の供給が停止したときに、前記制御系にのみ第２の電力を供給するアクセサリ電源とを有することを特徴とするカメラアクセサリ。
【請求項２】
前記第２の電力は、前記第１の電力よりも低いことを特徴とする請求項１に記載のカメラアクセサリ。
【請求項３】
前記電力供給手段は、無接点方式で前記カメラから前記第１の電力の供給を受けることを特徴とする請求項１又は２に記載のカメラアクセサリ。
【請求項４】
前記カメラとの間で通信を行う通信手段を有し、
前記制御系は、前記第１の電力の供給が停止した後、前記カメラアクセサリの状態が変化したときに、前記通信手段を介して前記カメラに対して前記第１の電力の供給開始を要求する信号を送信することを特徴とする請求項１から３のいずれか１つに記載のカメラアクセサリ。
【請求項５】
前記カメラとの間で通信を行う通信手段を有し、かつ前記アクセサリ電源が一次電池であり、
前記制御系は、前記アクセサリ電源の電池残量が所定レベル以下になったときに、前記通信手段を介して前記カメラに対して電池残量が低下したことを示す信号を送信することを特徴とする請求項１から４のいずれか１つに記載のカメラアクセサリ。
【請求項６】
前記カメラとの間で通信を行う通信手段を有し、かつ前記アクセサリ電源が二次電池であり、
前記制御系は、前記第１の電力の供給が停止した後、前記アクセサリ電源の電池残量が所定レベル以下になったときに、前記通信手段を介して前記カメラに対して前記第１の電力の供給開始を要求する信号を送信することを特徴とする請求項１から５のいずれか１つに記載のカメラアクセサリ。
【請求項７】
前記アクセサリ電源が二次電池であり、
前記電力供給手段は、前記第１の電力を用いて前記アクセサリ電源の充電を行うことを特徴とする請求項１から６のいずれか１つに記載のカメラアクセサリ。
【請求項８】
前記制御系は、前記第１の電力の供給が停止したときに、前記第２の電力により揮発性データを保持することを特徴とする請求項１から７のいずれかに記載のカメラアクセサリ。
【請求項９】
請求項１から８のいずれかに記載のカメラアクセサリと、
該カメラアクセサリが装着され、前記カメラアクセサリに前記第１の電力を供給するカメラとを有することを特徴とするカメラシステム。
【発明の詳細な説明】
【技術分野】
【０００１】
本発明は、一眼レフカメラやビデオカメラなどに着脱可能に装着される交換レンズやストロボ等のカメラアクセサリと、このカメラアクセサリおよびカメラを有するカメラシステムに関するものである。
【背景技術】
【０００２】
通常、カメラとカメラに着脱可能に装着される交換レンズとで構成され、カメラおよび交換レンズ間で通信可能なカメラシステムにおいては、カメラに電源となる電池を搭載し、カメラ内の電池から交換レンズに所望の電力を供給する構成となっている。このときの電力供給は、カメラおよび交換レンズにそれぞれ設けられ、互いに連結するマウント部に設けられた接続端子を介して行われる。
【０００３】
しかしながら、このような接点式の電力供給の場合、カメラに対する交換レンズの着脱を繰り返し行うことで、接続端子の表面が磨耗して接触抵抗が増大してしまう。これにより、電力の伝達効率が悪くなり所望の電力供給ができなくなるおそれがある。また、カメラシステムを屋外で使用した場合等においては、結露や雨などにより接続端子の接点部が短絡してカメラおよび交換レンズ内の回路に過電流が流れ、機器の故障を招くおそれがある。
【０００４】
ここで、上述の接触不良による電力伝達の問題を解決する手段として、電磁誘導の原理を用いて無接点式で電力供給を行うカメラが提案されている（例えば、特許文献１参照）。具体的には、カメラに設けられた一次側コイルへの通電により交換レンズに設けられた二次側コイルに電磁誘導による起電力を発生させ、この起電力を蓄電手段に蓄えて交換レンズの動作電源としている。
【０００５】
一方、従来の接点式による電力供給を行うカメラでは、交換レンズ内に設けられたマイコン等の制御系への電力供給を行う制御系用電力供給手段と、交換レンズ内に設けられたモータ等の駆動系への電力供給を行う駆動系用電力供給手段の２つの電源ラインを有しているものがある。
【０００６】
これは、制御系への給電は、ＲＡＭ内のデータ保持やスイッチ操作の検出等のために常に行う必要があるが、駆動系への給電は、駆動系の駆動時のみに行えばよいからである。すなわち、２系統の電力供給手段を使い分けることで使用者の使い勝手の向上と省電力化の効果を得ることができる。
【特許文献１】特開平９−９０４６２号公報（段落番号００７５〜００７７、第１０図）
【発明の開示】
【発明が解決しようとする課題】
【０００７】
上述した無接点式による電力供給の場合、接点式に比べて電力損失が多いため、給電の必要のない場合には給電を停止することが望ましい。しかしながら、交換レンズへの電力供給を頻繁に停止させると、電力不足によって、交換レンズにおいてユーザによるレンズ操作が行われたことを検出することができなかったり、交換レンズ内におけるマイコンや制御ＩＣの揮発性データが消失したりしてしまうとともに、給電の遅れによって、交換レンズにおける初期化動作や起動に時間が掛かってしまう。
【０００８】
また、無接点式による電力供給を行うカメラにおいて、制御系用電力供給手段と駆動系用電力供給手段の２つの給電系統を設けると、コストアップとなり、さらには、効率的に電力供給を行うことができなくなってしまう。このため、使用者の使い勝手を維持したまま給電の際の電力損失を抑えた電力供給手段が必要となってくる。
【課題を解決するための手段】
【０００９】
本発明は、カメラに装着されるカメラアクセサリであって、電力供給を受けてカメラアクセサリにおける作動部を駆動する駆動系と、電力供給を受けてカメラアクセサリにおける制御を行う制御系と、カメラから第１の電力の供給を受けて、駆動系および制御系に動作電力を供給する電力供給手段とを有し、カメラからの第１の電力の供給が停止したときに、制御系にのみ第２の電力を供給するアクセサリ電源とを有することを特徴とする。
【００１０】
また、本発明のカメラシステムは、上記のカメラアクセサリと、カメラアクセサリが装着され、カメラアクセサリに第１の電力を供給するカメラとで構成することができる。
【発明の効果】
【００１１】
本発明によれば、カメラからの第１の電力の供給を停止させた場合でも、アクセサリ電源から制御系に第２の電力を供給することによって、制御系を常に動作させた状態とすることができる。これにより、例えば、制御系における揮発性データが消失してしまったり、カメラアクセサリの起動時間が遅くなったりしてしまうのを防止でき、使用者の使い勝手を向上させることができる。しかも、本発明は、アクセサリ電源をカメラアクセサリに設けるだけであり、従来のように電源供給ラインを複数設ける場合に比べて、カメラアクセサリの小型化および低コスト化を図ることができる。
【００１２】
第２の電力を、前記第１の電力よりも低くすることで、この第２の電力を供給するアクセサリ電源の電気容量を小さくすることができる。
【００１３】
電力供給手段が、無接点方式でカメラから第１の電力の供給を受けるようにすれば、接点方式の場合に比べて、接触端子間の摩擦による接触抵抗や、外部環境による接触部分の短絡を防止することができる。
【００１４】
カメラとの間で通信を行う通信手段を有し、制御系は、第１の電力の供給が停止した後、カメラアクセサリの状態が変化したときに、通信手段を介してカメラに対して第１の電力の供給開始を要求する信号を送信することができる。このように、カメラアクセサリの状態に応じて第１の電力の供給を行ったり、行わなかったりすることで、省電力化を図ることができる。
【００１５】
カメラとの間で通信を行う通信手段を有し、かつアクセサリ電源が一次電池であり、制御系は、アクセサリ電源の電池残量が所定レベル以下になったときに、通信手段を介してカメラに対して電池残量が低下したことを示す信号を送信することができる。これにより、例えば、カメラ側において電池残量が低下したことを使用者に知らせるようにすれば、使用者にアクセサリ電源の交換を促すことができ、アクセサリ電源の残量が完全になくなってしまうことを防止できるとともに、アクセサリ電源からの電力供給を受ける制御系において揮発性データの消失等を未然に防ぐことができる。
【００１６】
カメラとの間で通信を行う通信手段を有し、かつアクセサリ電源が二次電池である場合において、第１の電力の供給が停止した後、アクセサリ電源の電池残量が所定レベル以下になったときに、制御系によって、通信手段を介してカメラに対して第１の電力の供給開始を要求する信号を送信することができる。これにより、例えば、カメラは、第１の電力の供給開始を要求する信号に応じて、カメラアクセサリに対して第１の電力を供給することができ、カメラアクセサリは第１の電力の供給を受けて動作することができる。
【００１７】
アクセサリ電源を二次電池とし、第１の電力を用いてアクセサリ電源の充電を行うことにより、充電残量がなくなる度に電池交換を行う必要がなくなり、使用者の使い勝手を向上させることができる。
【発明を実施するための最良の形態】
【００１８】
以下、本発明の実施例について説明する。
【実施例１】
【００１９】
本発明の実施例１であるカメラシステムについて説明する。本実施例のカメラシステムは、カメラと、このカメラに着脱可能に装着される交換レンズ（カメラアクセサリ）とで構成される。このカメラシステムは、後述するようにカメラから交換レンズに対して電磁誘導を利用した無接点式の電力供給を行うものであって、カメラおよび交換レンズ間のデータ通信を発光ダイオードおよびフォトダイオードを用いた光通信により行うものである。
【００２０】
図１は、本実施例のカメラシステムにおける回路構成を示すブロック図である。ここで、細線は信号ラインを表しており、太線は電源ラインを表している。
【００２１】
図１において、交換レンズ１０における動作を制御するレンズマイコン１０１は、通信用の発光ダイオード１０９ｂ、１０９ｄおよびフォトダイオード１０９ｃ、１０９ｅ（通信手段）を介して、カメラ２０内のカメラマイコン１１１とデータの通信を行うことができる。ここで、発光ダイオード１０９ｂおよびフォトダイオード１０９ｃは、図１中の矢印で示すように、カメラ２０側から交換レンズ１０側への通信を行うために用いられ、発光ダイオード１０９ｄおよびフォトダイオード１０９ｅは、交換レンズ１０側からカメラ２０側への通信を行うために用いられる。
【００２２】
レンズマイコン１０１は、レンズ駆動系（不図示の撮影レンズおよび該撮影レンズを駆動する駆動ユニットを含む）１０２に対して制御信号を出力することで、撮影レンズの駆動を制御する。すなわち、レンズ駆動系１０２では、レンズマイコン１０１からの指令値によって、撮影レンズのうち変倍用のレンズを光軸方向に移動させることによりズーミングが行われるとともに、撮影レンズのうち焦点調節用のレンズを光軸方向に移動させることによりフォーカシングが行われる。
【００２３】
また、レンズマイコン１０１は、絞り駆動系（不図示の絞りと該絞りを駆動する駆動ユニットを含む）１０３に対して制御信号を出力して絞り口径を変化させることで、像面に入射する光量を調節する。すなわち、絞り駆動系１０３では、レンズマイコン１０１からの指令値によって、絞りを設定された位置まで絞る又は開放状態に復帰させるといった動作が行われる。
【００２４】
さらに、レンズマイコン１０１は、交換レンズ１０の状態（ズーム位置、フォーカス位置、絞り値の状態など）や、交換レンズ１０に関する情報（開放絞り値、焦点距離、焦点調節に必要なデータなど）を、インターフェイス１０７を介して通信用の発光ダイオード１０９ｄからカメラ２０側に伝達する。
【００２５】
交換レンズ１０において、レンズ駆動系１０２や絞り駆動系１０３における駆動ユニット（アクチュエータ）の駆動に必要となる電圧値と、レンズマイコン１０１等の制御系で必要となる電圧値は互いに異なっている。すなわち、制御系に関する電圧値は、駆動系に関する電圧値よりも低くなっている。このため、分圧部１０４は、カメラ２０側から給電された電源電圧を分圧し、上記の駆動系や制御系に対して適切な電圧を供給する。
【００２６】
一次電池１０６は、レンズマイコン１０１や不図示の制御ＩＣ等に接続されている。後述するようにカメラ２０側から交換レンズ１０側への電力供給が遮断された場合には、レンズマイコン１０１等は一次電池１０６からの電力供給を受けて動作可能となっている。
【００２７】
残量検出部１０５は、常に一次電池１０６の電池残量、例えば電圧値を検出しており、この検出結果をレンズマイコン１０１に出力する。
【００２８】
カメラ２０内には、撮影光学系の焦点調節状態を検出するための焦点検出部１１４、被写体の輝度を測定するための測光部１１５、光通過口を開閉可能な遮光部材を駆動するシャッタ部１１６、特定の情報（例えば、撮影画像や撮影条件）を表示する表示部１１７、カメラ２０に設けられた部品（例えば、後述する発音体や表示灯）の駆動を制御する制御部１１８が設けられており、これらの動作はカメラマイコン１１１によって制御される。
【００２９】
ここで、カメラマイコン１１１は、カメラ２０に設けられた不図示のレリーズボタンの半押し操作でオン状態となるＳＷ１（１１９）からの信号の入力を受けて、撮影準備動作（測光動作や焦点検出動作等）を行う。このとき、カメラマイコン１１１は、測光動作の結果に基づいて露出値（シャッタ速度や絞り値）の演算を行う。
【００３０】
また、カメラマイコン１１１は、レリーズボタンの全押し操作でオン状態となるＳＷ２（１２０）からの信号の入力を受けて、撮影動作（フィルムへの露光や、撮像素子によって撮像された画像データの記録媒体への記録）を行う。なお、ＳＷＭ（１２１）は、撮影モードを切り替えるためのスイッチであり、カメラマイコン１１１は、ＳＷＭからの入力信号に応じた撮影モードに設定することができる。
【００３１】
上述したカメラマイコン１１１等のカメラ２０内の電気素子は、カメラ２０内に設けられた電池１１３からの電力供給を受けることで動作可能となっている。
【００３２】
電圧調整部１１２は、カメラマイコン１１１からの制御信号に基づいて、交換レンズ１０内の電気系への電力供給のオン／オフを切り替えることができる。すなわち、電圧調整部１１２は、カメラマイコン１１１からの制御信号に基づいて交換レンズ１０内のコイル１０９ａへの通電を行ったり、この通電を遮断したりする。
【００３３】
カメラ２０側のコイル１０９ａへの通電を行えば、電磁誘導の作用（無接点式）によって交換レンズ１０側のコイル１０９ａ’に起電力が発生し、この起電力が分圧部１０４を介して交換レンズ１０内の電気系に供給されることになる。また、カメラ２０側のコイル１０９ａへの通電を遮断すれば、交換レンズ１０側のコイル１０９ａ’には起電力が発生せず、交換レンズ１０内の電気系への電力供給は行われないことなる。
【００３４】
例えば、使用者が所定時間内にカメラ２０や交換レンズ１０を操作しなかった場合には、カメラマイコン１１１は、交換レンズ１０を動作させる必要がないと判断し、省電力化のために交換レンズ１０内の電気系への電力供給を休止させることができる。
【００３５】
本実施例のカメラシステムにおいて、カメラ２０から交換レンズ１０への電力供給は、上述したようにコイル１０９ａ、１０９ａ’を用いた無接点式によって行っており、かつ電力供給ラインを１つとしている。このため、従来のように無接点式の電力供給ラインを複数設ける場合に比べて、カメラシステムの小型化および低コスト化を図ることができるとともに、電力損失を低減することができる。
【００３６】
また、交換レンズ１０の制御系（レンズマイコン等）への電力供給は、カメラ２０からの電力を用いるとともに、カメラ２０からの電力供給が遮断されている場合には、一次電池１０６からの電力を用いている。このため、交換レンズ１０の制御系には、絶えず電力が供給されるようになっており、制御系における揮発性データが消失したり、起動が遅れたりしてしまうのを防止することができる。しかも、本実施例では、交換レンズ１０内に一次電池１０６を設けただけであるため、従来のようにカメラおよび交換レンズ間で２つの電源ラインを設ける場合に比べて、カメラシステムの小型化および低コスト化を図ることができる。
【００３７】
次に、図２を用いて、交換レンズ１０に設けられた各種の検出部およびスイッチの構成について説明する。ここで、レンズマイコン１０１は、割り込み処理によって各検出部やスイッチからの信号を検出して、この検出結果に応じて制御動作を行う。
【００３８】
フォーカス検出部２０２は、撮影光学系におけるフォーカスレンズの移動変化（マニュアル設定では、フォーカス環が操作されたか否か）を検出し、この検出結果をレンズマイコン１０１に出力する。この検出部２０２の出力には、ブラシとグレイコードパターンとで構成される検出回路の出力や、エンコーダの出力がある。
【００３９】
また、ズーム検出部２０３は、撮影光学系のズームレンズの移動変化（マニュアル設定では、ズーム環が操作されたか否か）を検出し、この検出結果をレンズマイコン１０１に出力する。
【００４０】
ＡＦ／ＭＦＳＷ２０４は、オートフォーカスとマニュアルフォーカスを切り替えるためのスイッチである。レンズマイコン１０１は、ＡＦ／ＭＦＳＷ２０４の出力に応じて、交換レンズ１０に設けられたフォーカス環（不図示）の操作に基づいてフォーカスレンズの駆動を行う（マニュアルフォーカス）か、焦点検出部１１４での検出結果に基づいてフォーカスレンズの駆動を行う（オートフォーカス）かを選択する。
【００４１】
フォーカスプリセットＳＷ２０５及びフォーカスプリセット再生ＳＷ２０６は、フォーカスプリセット機能を利用するためのスイッチである。すなわち、使用者操作によってフォーカスプリセットＳＷ２０５がオン状態になると、レンズマイコン１０１は、特定の被写体（特定の被写体距離）に対して合焦状態となるフォーカスレンズの位置をレンズマイコン１０１内のメモリ１０１ａに記憶させる。また、使用者操作によってフォーカスプリセット再生ＳＷ２０６がオン状態になると、レンズマイコン１０１は、メモリ１０１ａ内に記憶されたフォーカスレンズの位置を読み出し、レンズ駆動系１０２の駆動制御を行うことでフォーカスレンズを上記の読み出し位置まで移動させる。
【００４２】
ＡＦスタート／ストップＳＷ２０７は、ＡＦ／ＭＦＳＷ２０４の操作によってオートフォーカスモードが選択されているときに、交換レンズ１０からカメラ２０に対してオートフォーカスの開始および停止を指示するためのスイッチである。
【００４３】
ソフトフォーカス補正駆動ＳＷ２０８は、撮影レンズのうちソフトフォーカス用のレンズの駆動によって被写体像のボケ具合を変更させるためのスイッチであり、ソフトフォーカスレンズが移動することによって生じる合焦位置のずれを補正させるためのスイッチでもある。
【００４４】
レンズマイコン１０１は、必要に応じて上記の検出部２０２、２０３の出力に基づいて交換レンズの状態変化を判別したり、割込み処理により交換レンズの状態変化を判別したりする。ここで、カメラ２０から交換レンズ１０への電力供給が遮断されていること（交換レンズの状態変化の一つ）を判別した場合には、発光ダイオード１０９ｄを介してカメラ２０（フォトダイオード１０９ｅ）に対して電力供給の要求に関するデータを送信する。
【００４５】
図３は、レンズマイコン１０１での動作を示すフローチャートであって、主にカメラ２０からの電力供給が遮断されたときの動作フローについて示したものである。
【００４６】
ステップＳ３０１において、レンズマイコン１０１は、カメラ２０側からの電力供給が遮断されたか否か、すなわち分圧部１０４からの電力供給が行われているか否かを判別する。ここで、電力供給が遮断されていない場合には、処理を終了する。一方、電力供給が遮断された場合には、ステップＳ３０２へ進む。
【００４７】
ステップＳ３０２では、予め記憶しておくべきデータをレジスタに格納する。ステップＳ３０３において、レンズマイコン１０１は、省電力化のためにスリープ状態へ移行して処理を終了する。
【００４８】
図４は、交換レンズ１０への電力供給が遮断されている状態において、交換レンズ１０に設けられたスイッチの操作を受けて、カメラ２０に対して電力供給の要求に関するデータを送信するとともに、電力供給を受けてから上記の操作されたスイッチに応じた動作を示すフローチャートである。本実施例では、レンズマイコン１０１の割込み処理によって交換レンズ１０のスイッチの状態（交換レンズ１０の状態）を検出するようになっている。
【００４９】
ステップＳ４０１において、スリープ状態にあるレンズマイコン１０１は、割込み動作によりスリープ状態（省電力モード）を解除し、通常モードに復帰する。
【００５０】
ステップＳ４０２では、発光ダイオード１０９ｄを介して電力供給の要求に関するデータをカメラ１０（フォトダイオード１０９ｅ）に送信する。
【００５１】
ステップＳ４０３では、カメラ２０側から電力供給が行われているか否かの判別を行う。ここで、レンズマイコン１０１に入力された電圧値が所定値以上の場合には、カメラ２０からの給電が再開されたと判断してステップＳ４０４に進む。一方、入力された電圧値が所定値以下の場合には、給電が再開されていないと判断して、ステップＳ４０２に戻り電力供給の要求に関するデータを再度カメラ１０に送信する。
【００５２】
ステップＳ４０４において、レンズマイコン１０１は、割り込み処理によって交換レンズ１０に設けられた複数のスイッチ２０４〜２０８（図２）のうち使用者によって操作されたスイッチからの出力信号を受けることで、操作されたスイッチの判別を行い、以下に説明するように判別されたスイッチに応じた処理を実行することになる。
【００５３】
ここで、ＡＦ／ＭＦＳＷ２０４からの信号入力があった場合には、ステップＳ４０５においてＡＦ／ＭＦスイッチのフラグを設定し、ステップＳ４０６において、オートフォーカスモードとマニュアルフォーカスモードの切り替えを行う。
【００５４】
フォーカスプリセットＳＷ２０５からの信号入力があった場合には、ステップＳ４０７においてフォーカスプリセットのフラグ（ＦＰフラグ）を設定し、ステップＳ４０８において現在のフォーカスレンズの位置検出や、この検出した位置情報の記憶などといったフォーカスプリセットの設定処理を行う。
【００５５】
フォーカスプリセット再生ＳＷ２０６からの信号入力があった場合には、ステップＳ４０９においてフォーカスプリセット再生のフラグ（ＦＰ再生フラグ）を設定し、ステップＳ４１０において、レンズ駆動系１０２の駆動を制御することによってフォーカスプリセットの設定処理で記憶されたフォーカスレンズ位置にフォーカスレンズを移動させる。
【００５６】
ＡＦスタート／ストップＳＷ２０７からの信号入力があった場合には、ステップＳ４１１においてＡＦスタートスイッチのフラグを設定し、ステップＳ４１２において、ＡＦモードに設定されているかの確認と、ＡＦ動作を開始させる制御を行う。なお、ＡＦ動作が開始された後、再度ＡＦスタート／ストップＳＷ２０７からの信号入力があった場合には、ＡＦ動作を終了させる制御を行うことになる。
【００５７】
ソフトフォーカス補正駆動ＳＷ２０８からの信号入力があった場合には、ステップＳ４１３においてソフトフォーカスモードのフラグを設定し、ステップＳ４１４においてレンズ駆動系１０２を介してソフトフォーカスレンズの駆動制御を行うことによりソフトフォーカスモードにおける像のボケ具合を変更するとともに、ソフトフォーカスレンズが移動することで発生する合焦位置のずれを補正する。
【００５８】
ステップＳ４１５では、レンズステータスを、発光ダイオード１０９ｄを介してカメラ２０に送信して本処理を終了する。ここで、レンズステータスとは、交換レンズ１０に設けられた各スイッチ２０４〜２０８の状態、フォーカス駆動、ズーム駆動、絞り駆動の可能／不可能や現在の駆動状態などに関するデータである。
【００５９】
図５は、交換レンズ１０に設けられたフォーカス環やズーム環の操作に応じてカメラ２０に対して電力供給の要求に関するデータを送信する際の動作を示すフローチャートである。
【００６０】
ここで、フォーカス環やズーム環は、交換レンズ１０に対して光軸周りに回転可能に取り取り付けられており、これらの環を手動で回転させることによって、撮影光学系のフォーカスレンズやズームレンズを光軸方向に移動させてフォーカシングやズーミングを行うことができる。なお、本実施例では、レンズマイコン１０１の割込み処理によってフォーカス環やズーム環が操作されているか否か（交換レンズ１０の状態）を検出するようになっている。
【００６１】
ステップＳ５０１において、レンズマイコン１０１は、割込み動作によってスリープ状態（省電力モード）を解除し、通常モードに復帰する。
【００６２】
ステップＳ５０２では、フォーカス環の操作状態を検出する検出部からの出力に基づいてフォーカス環が操作されたか否かの判別を行う。ここで、フォーカス環の操作が行われたと判別した場合には、ステップＳ５０３に進む。一方、フォーカス環の操作が行われていないと判別した場合には、ステップＳ５０２’において、ズーム環の操作状態を検出する検出部からの出力に基づいてズーム環が操作されたか否かの判別を行う。ここで、ズーム環が操作されていればステップＳ５０４に進み、操作されていなければ本処理を終了する。
【００６３】
ステップＳ５０３では、フォーカス位置の検出を行う。例えば、ブラシを用いることで、フォーカスレンズがある位置にあるときのパターンを検出して、このパターンに対応したゾーンをフォーカス位置として検出する方法がある。
【００６４】
ステップＳ５０４では、ズーム位置の検出を行う。例えば、ブラシを用いることで、ズームレンズがある位置にあるときのパターンを検出して、このパターンに対応したゾーンをズーム位置として検出する方法がある。
【００６５】
ステップＳ５０５では、使用者がフォーカス環やズーム環を操作した場合、すぐにレリーズ動作（レリーズボタンの操作）を行う可能性がある。そこで、レンズマイコン１０１は通信によりカメラマイコン１１１に対して電力供給要求を行い、交換レンズ１０におけるＡＦ動作や絞り駆動が即座に行えるようにする。
【００６６】
ステップＳ５０６では、電力供給が行われているかの判別を行う。ここで、受電電圧（レンズマイコン１０１に入力された電圧値）が所定値以上ならば、給電が再開されたと判断してステップＳ５０７に進む。一方、受電電圧が所定値以下ならば給電が再開されていないと判断し、ステップＳ５０５において電力供給要求を再びカメラマイコン１１１に送信する。
【００６７】
ステップＳ５０７では、レンズステータスを通信によりカメラマイコン１１１に送信して本処理を終了する。
【００６８】
図６はレンズマイコン１０１からの電力供給要求を受信した場合のカメラマイコン１１１における動作を示すフローチャートである。以下、各処理について説明する。
【００６９】
ステップＳ６０１では、カメラマイコン１１１に通信割り込みが発生し、レンズマイコン１０１からの電力供給要求を受信する。
【００７０】
ステップＳ６０２では、交換レンズ１０への電力供給を再開する。具体的には、カメラマイコン１１１が、電圧調整部１１２の駆動を制御することによってコイル１０９ａへの通電を開始させる。これにより、交換レンズ１０のコイル１０９ａ’に起電力が発生し、この電力が分圧部１０４を介して交換レンズ１０内の各電気部品に供給されるようになる。
【００７１】
ステップＳ６０３では、レンズマイコン１０１から送信されたステータスデータを受信する。本動作では、上述した交換レンズ１０におけるフォーカス環もしくはズーム環の操作があった場合（図５）について説明する。
【００７２】
ステップＳ６０４では、ステップＳ６０３で受信したステータスデータに基づいて交換レンズ１０の状態変化を解析し、ズーム操作が検出されていれば（交換レンズ１０においてズーム環が操作されていれば）ステップＳ６０５に分岐し、フォーカス操作が検出されていれば（交換レンズ１０においてフォーカス環が操作されていれば）ステップＳ６１０に分岐する。
【００７３】
ステップＳ６０５では、オートフォーカスの制御中であるか否かの判別を行い、ＡＦ制御中であればステップＳ６０６に進む。すなわち、ＡＦ制御中において、ズーム環が操作されると、例えばフォーカスレンズの敏感度が変化して、再度オートフォーカスの演算をしなおす必要があるために、ステップＳ６０６以降の処理を行う。一方、ＡＦ制御中でなければ、ステップＳ６０９に進む。
【００７４】
ステップＳ６０６では、レンズマイコン１０１に対して、通信によりＡＦ演算に必要な一連の光学データの送信命令に関するデータを送信するとともに、レンズマイコン１０１から送信された上記の光学データの中から必要な光学データを読み出す。
【００７５】
ステップＳ６０７では、焦点検出部１１４を用いて公知の方法（例えば、コントラスト検出方式や位相差検出方式）によって撮影光学系の焦点調節状態を検出し、この検出結果に基づいてレンズ駆動系１０２におけるフォーカス駆動モータの駆動量（フォーカスレンズの移動量）を算出する。
【００７６】
ステップＳ６０８では、ステップＳ６０７で算出したフォーカス駆動モータの駆動量をレンズマイコン１０１に送信する。ステップＳ６０９では、ズーム環の操作に応じてレンズの開放絞り値が変化する場合があるため、公知の方法で露出制御の演算を再実行する。
【００７７】
ステップＳ６１０では、ステータスデータに基づいてフォーカス駆動モータの状態を判定する。ここで、フォーカス駆動モータの駆動が終了していれば、ステップＳ６１４に分岐し、モータ駆動中であれば、ステップＳ６１１に分岐する。
【００７８】
ステップＳ６１１では、ステータスデータに基づいてフォーカス駆動モータが加速中あるいは減速中であるかの判別を行う。ここで、フォーカス駆動モータが加減速中である場合は、撮影光学系の焦点調節状態の検出を行わずに本処理を終了する。一方、フォーカス駆動モータが加減速中でない場合は、フォーカス駆動モータが定速駆動中であるため、焦点調節状態の検出を行うためにステップＳ６１２に進む。
【００７９】
ステップＳ６１２では、焦点検出部１１４を用いて公知の方法（例えば、コントラスト検出方式や位相差検出方式）によって撮影光学系の焦点調節状態を検出し、この検出結果に基づいてレンズ駆動系１０２におけるフォーカス駆動モータの駆動量（フォーカスレンズの移動量）を算出する。
【００８０】
ステップＳ６１３では、ステップＳ６１２で算出したフォーカス駆動モータの駆動量をレンズマイコン１０１に送信する。
【００８１】
ステップＳ６１４において、フォーカス駆動モータの駆動が停止した場合は、最終的な合焦状態の判断のために再度、上述した公知の方法によって撮影光学系の焦点調節状態の検出を行う。
【００８２】
ステップＳ６１５では、レンズの絞り値を考慮に入れて最終的な合焦状態の判別を行い、合焦状態であればステップＳ６１７に分岐し、合焦状態でなければステップＳ６１６に分岐する。ステップＳ６１６では、ステップＳ６１４で得られたフォーカスモータ駆動量をレンズマイコン１０１に送信する。
【００８３】
ステップＳ６１７において、カメラマイコン１１１は、制御部１１８を介してカメラ２０に設けられた発音素子や表示灯等を駆動（発音や点灯）させることによって、撮影光学系が合焦状態にあることを撮影者に知らせる。
【００８４】
次に、交換レンズ１０内に設けられた一次電池１０６の残量を検出する動作について、図７に示すフローチャートを用いて説明する。ここで、電池１０６の残量を検出する方法としては、例えば、カメラ２０側からの給電が休止された状態において、給電が再開されるまで所定時間の間隔をおいて電池残量を検出する方法や、給電が休止された後に必ず１回の残量検出を行う方法がある。
【００８５】
ステップＳ７０１において、レンズマイコン１０１は、カメラ２０からの電力供給が休止された後、残量検出部１０５の出力に基づいて一次電池１０６の残量の検出を行う。具体的には、一次電池１０６の出力電圧値の検出を行う。
【００８６】
ステップＳ７０２では、ステップＳ７０１で検出された電池残量が所定量以上か否かの判別を行う。ここで、検出された電池残量が所定値以上ならば、一次電池１０６の残量は交換レンズ１０内の制御系における動作を行うのに十分であり、カメラ２０側に対して電力供給要求を行う必要がないと判断して、本処理を終了する。一方、電池残量が所定量以下である場合には、一次電池１０６の残量が残り僅かであると判断してステップＳ７０３に分岐する。
【００８７】
ステップＳ７０３では、カメラマイコン１１１に対して通信により電力供給要求を送信する。
【００８８】
ステップＳ７０４では、カメラ２０から交換レンズ１０に対して電力供給が行われているかの判別を行う。すなわち、レンズマイコン１０１は、受電電圧が所定値以上ならば給電が行われていると判断してステップＳ７０５に進む。一方、受電電圧が所定値以下ならば給電が行われていないと判断し、ステップＳ７０３において電力供給要求を再びカメラマイコン１１１に送信する。
【００８９】
ここで、ステップＳ７０２において一次電池１０６の電池残量がないと判断された場合、交換レンズ１０内に設けられた一次電池１０６を交換する必要がある。そこで、ステップＳ７０５において、レンズマイコン１０１はカメラマイコン１１１に対して一次電池１０６の交換表示を行う要求に関するデータを送信する。
【００９０】
この要求を受けたカメラマイコン１１１は、制御部１１８を介してカメラ２０に設けられた発音体や表示灯を駆動（発音や点灯）させたり、表示部１１７に電池交換に関するデータを表示させたりすることによって、使用者に対して一次電池１０６を交換させる旨の警告を行う。なお、交換レンズ１０に表示灯等を設けて、この表示灯等を介して一次電池１０６の交換を行うべき旨の警告を行うようにしてもよい。
【実施例２】
【００９１】
次に、図８および図９を用いて本発明の実施例２であるカメラシステムについて説明する。ここで、図８は、本実施例であるカメラシステムの構成を示すブロック図であり、同図において実施例１（図１）で説明した部材と同じ部材については同一符号を付している。
【００９２】
本実施例のカメラシステムは、実施例１のカメラシステムと同様に、電磁誘導による無接点式の電力供給を行うものであって、２組の発光ダイオードおよびフォトダイオードを用いた光通信によって、交換レンズおよびカメラ間でデータのやり取りを行うことができるようになっている。
【００９３】
一方、本実施例において実施例１と異なる点は、交換レンズ１０内に一次電池ではなく、充電可能な二次電池を設けている点である。このように、交換レンズ１０内に充電可能な二次電池を設けることで、実施例１のように交換レンズ１０内の電池交換を行う必要がなくなり、使用者にとって使い勝手の良いものとすることができる。
【００９４】
本実施例のカメラシステムでは、カメラ２０から交換レンズ１０に対して電力供給が休止されている場合には、二次電池１２２から交換レンズ１０内の制御系に電力供給が行われるようになっている。このように、交換レンズ１０内の制御系に絶えず電力供給を行うことで、制御系における揮発性データが消失したり、初期化や起動時に時間が掛かったりすることを防止することができる。
【００９５】
また、カメラ２０から交換レンズ１０に対して電力供給が行われている場合には、分圧部１０４で分圧された所定電圧が二次電池１２２で充電されるようになっている。上記のような構成とすることで、カメラ２０からの給電を行うときに、二次電池１２２へのトリクル充電も可能となる。
【００９６】
次に、交換レンズ１０に設けられた二次電池１２２の残量を検出する動作について、図９に示すフローチャートを用いて説明する。ここで、二次電池１２２の電池残量を検出する方法としては、上述した一次電池の場合と同様に、例えば、カメラ２０からの給電が休止された状態において、給電が再開されるまで所定時間の間隔で電池残量の検出を行う方法や、給電休止後に必ず１回の残量検出を行う方法がある。
【００９７】
ステップＳ８０１において、レンズマイコン１０１は、カメラ２０から交換レンズ１０への電力供給が休止された状態において、残量検出部１０５からの出力に基づいて二次電池１２２の電池残量の検出を行う。具体的には、例えば、二次電池１２２の出力電圧の検出を行う。
【００９８】
ステップＳ８０２では、二次電池１２２の残量が所定量以上か否かの判別を行う。ここで、ステップＳ８０１で検出した二次電池１２２の出力電圧が所定値以上ならば、二次電池１２２の残量は交換レンズ１０内の制御系を駆動する上で十分であり、カメラ２０に対して電力供給を行う必要がないと判断し、本処理を終了する。
【００９９】
一方、二次電池１２２の出力電圧が所定値以下ならば、残量が残り僅かであると判断しステップＳ８０３に分岐する。ステップＳ８０３では、光通信によりカメラマイコン１１１に対して電力供給要求を送信する。
【０１００】
ステップＳ８０４では、カメラ２０側から電力供給が行われているかの判別を行う。すなわち、受電電圧（レンズマイコン１０１に入力される電圧値）が所定値以上ならば、交換レンズ１０への給電が行われていると判断してステップＳ８０５に進む。一方、受電電圧が所定値以下ならば、交換レンズ１０への給電が行われていない判断し、ステップＳ８０３において電力供給要求を再びカメラマイコン１１１に送信する。
【０１０１】
ステップＳ８０５では、カメラ２０側から供給された電圧を用いて二次電池１２２への充電を開始させる。
【０１０２】
ステップＳ８０６において、レンズマイコン１０１は残量検出部１０５の出力に基づいて、二次電池１２２の残量を検出する。具体的には、例えば、二次電池１２２の出力電圧を検出する。
【０１０３】
ステップＳ８０７では、二次電池１２２の充電が終了したか否かの判別を行う。ここで、ステップＳ８０６で検出した電池出力電圧が所定値以上ならば、二次電池１２２での充電が完了したと判断して、ステップＳ８０８に進む。一方、二次電池１２２の電池出力電圧が所定値以下ならば、充電が不十分であると判断して充電を続行する。
【０１０４】
ステップＳ８０８では、充電が完了したこと表すデータを光通信を介してカメラマイコン１１１に送信する。このデータを受信したカメラマイコン１１１は、電圧調整部１１２の駆動を制御することによって交換レンズ１０への給電を停止させる。
【０１０５】
上述した実施例１、実施例２では、カメラおよび交換レンズ間の通信手段として、発光ダイオードおよびフォトダイオードによる光通信を用いた場合について説明したが、電気的接点による通信手段（交換レンズおよびカメラそれぞれのマウント部に電気端子を設け、互いに接続させる構成）でも本発明を適用することができる。
【０１０６】
また、実施例２における二次電池１２２としては、ニッケル水素二次電池やリチウムイオン二次電池などの比較的容量の大きい二次電池だけでなく、コンデンサなどの一時的な蓄電を行う蓄電手段を用いることもできる。
【０１０７】
さらに、上述した実施例１、２では、カメラと該カメラに着脱可能に装着される交換レンズとで構成されるカメラシステムについて説明したが、交換レンズに限らず、カメラに着脱可能に装着され、カメラから電力供給を受けるものであれば、いかなるものでもよく、具体的には、被写体に対して照明光を照射する照明装置等にも本発明を適用することができる。
【図面の簡単な説明】
【０１０８】
【図１】本発明の実施例１におけるカメラシステムの構成ブロック図。
【図２】撮影レンズの操作系の検出を表すブロック図。
【図３】実施例１における撮影レンズ動作に関するフローチャート。
【図４】実施例１における撮影レンズ動作に関するフローチャート。
【図５】実施例１における撮影レンズ動作に関するフローチャート。
【図６】実施例１におけるカメラ本体動作に関するフローチャート。
【図７】実施例１における撮影レンズ動作に関するフローチャート。
【図８】本発明の実施例２におけるカメラシステムの構成ブロック図。
【図９】実施例２における撮影レンズ動作に関するフローチャート。
【符号の説明】
【０１０９】
１０１、１０２：レンズマイコン    １０２：フォーカス駆動系
１０３：絞り駆動系    １０４：分圧部    １０５：残量検出    １０６：一次電池
１０７、１１０：インターフェース    １０８：レンズユニット
１０９ａ：無接点電力供給用コイル    １１１：カメラマイコン
１１２：電圧調整部    １１３：電源    １１４：焦点検出部    １１５：測光部
１１６：シャッタ部    １１７：表示部    １１８：その他の制御部
１１９：ＳＷ１    １２０：ＳＷ２    １２１：ＳＷＭ    １２２：二次電池
【図２】
2005173266.tif 000003
【図１】
2005173266.tif 000004
【図３】
2005173266.tif 000005
【図４】
2005173266.tif 000006
【図５】
2005173266.tif 000007
【図６】
2005173266.tif 000008
【図７】
2005173266.tif 000009
【図８】
2005173266.tif 000010
【図９】
2005173266.tif 000011